(57)【要約】 【課題】  必要なだけの種子を蒔くことができ、また間引き等の労力も格別に必要としない種蒔き器を提供する。【解決手段】アウターケーシング（１）と、このアウターケーシングと所定の間隔をおいて、その内側に配置されているインナーケーシング（２０）と、これらの両ケーシング（１、２０）の間に回転可能に設けられている回転キャリヤ（３０）とから構成する。インナーケーシングには種子通過孔（２３）を、回転キャリヤには種子ポケット（３４）を、そしてアウターケーシングには種子排出孔（１２）を設ける。回転キャリヤをハンドルで回転駆動し、種子ポケット（３４）が種子通過孔（２３）に整合すると、１〜２個の種子が種子ポケット（３４）に保持され、さらに回転駆動して種子排出孔（１２）に整合すると、この排出孔からシュートパイプ（５０）を介して播種される。【選択図】  図１
2007082410.tif 000002
【特許請求の範囲】
【請求項１】
筒状の周壁を有するアウターケーシングと、同様に筒状の周壁を有するインナーケーシングと、これらのケーシングの筒状の周壁の間で回転駆動される筒状の周壁を有する回転キャリヤとからなり、
前記インナーケーシングの筒状の周壁には内部の種子が通過する種子通過孔が、前記回転キャリヤの筒状の周壁には種子を一時的に保持する種子ポケットが、そして前記アウターケーシングの筒状の周壁には種子を外部へ排出する種子排出孔がそれぞれ設けられ、
前記回転キャリヤが回転駆動されて、その種子ポケットが前記インナーケーシングの種子通過孔と整合すると、前記種子通過孔から前記種子ポケットに種子が落下・保持され、さらに回転駆動されて前記種子ポケットが前記アウターケーシングの種子排出孔と整合すると、前記種子ポケット中の種子が、前記種子排出孔から所定長さのシュートパイプを介して播種されることを特徴とする種蒔き器。
【請求項２】
請求項１に記載の種蒔き器において、アウターケーシングには回転キャリヤに保持されている種子を目視できるように透明な覗き窓が形成されている種蒔き器。
【請求項３】
請求項１に記載の種蒔き器において、アウターケーシングは回転キャリヤに保持されている種子を目視できるように透明な樹脂から成形されている種蒔き器。
【請求項４】
請求項１〜３のいずれかの項に記載の種蒔き器において、インナーケーシングと回転キャリヤのいずれかの一方には、相手方の方へバネ付勢されたスライドピンが設けられ、他方には前記スライドピンがスライド的に係合する凹溝が設けられて、前記スライドピンが前記凹溝に係合することにより、前記回転キャリヤが位置決めされている種蒔き器。
【請求項５】
請求項１〜４のいずれかの項に記載の種蒔き器において、インナーケーシングの種子通過孔の内側は内部の種子が集まりやすいように、側面形状が弧状を呈するように拡径され、回転キャリヤの種子ポケットの外側は保持されている種子が落下しやすいようにテーパ状に拡径されている種蒔き器。
【発明の詳細な説明】
【技術分野】
【０００１】
本発明は、アウターケーシングと、このアウターケーシングと所定の間隔をおいて、その内側に配置されているインナーケーシングと、これらの両ケーシングの間に回転可能に設けられている回転キャリヤとからなる種蒔き器に関するもので、特に限定するものではないが大根、小松菜等の球形の種子の種蒔き用として好適な種蒔き器に関するものである。
【背景技術】
【０００２】
農業機械あるいは農業器具の一種としてエンジンを備えた自走式の自動種蒔き機械が従来から色々提案されている。このような自走式の種蒔き機械は、大規模な農業には有効に利用され得るが、小面積の田畑あるいは家庭菜園的な畑の種蒔きには適していない。そこで、小さな田畑に小さな球形の種子を蒔くときは、一般に種を素手で摘み、そして予め掘られた溝に手動的に蒔く手法が採られている。この手法による種蒔きは、小さな種子を所定の溝に一定間隔に蒔かなければならないので、神経を使い、しかも非能率である。そこで、例えば特許文献１、２により手動的に操作する種蒔き器も提案されている。
【０００３】
【特許文献１】特開２００５−８７１９８
【特許文献２】特開２０００−２２４９０４
【０００４】
特許文献１には、容器部と押出部とからなる菜園用種蒔き器が示されている。この容器部の底には、種子の落下量を調節する開閉弁が設けられており、この開閉弁の開度は押出部の軸で調節されるようになっている。したがって、押出部の軸を押し込んで開閉弁を大きく開くと、種子の落下量が多くなり密に蒔くことができ、逆に押出部の棒を引き上げると開閉弁の開度は小さくなり、粗く蒔くことができる。また、特許文献２には、１回分の播種量が計量される計量カップと、この計量カップに対して摺動自在に設けられているホッパと、計量カップの下端部に接続され導管とからなる種蒔き器が示されている。種子はホッパに収納されている。この状態でホッパを計量カップに差し込んでいくと、ホッパ中の種子が計量ホッパに入り、さらに差し込むと計量カップの開閉弁が開き、導管を通って田畑に蒔かれる。
【発明の開示】
【発明が解決しようとする課題】
【０００５】
上記特許文献により提案されている手動種蒔き器によると、農業の専門家ではない素人でも一応機械的に播種できる。しかしながら、問題点あるいは改良すべき点も多い。例えば、特許文献１に記載の種蒔き器は、開閉弁の開度を調節することにより、粗密に播種することはできるが、単に粗密に播種できるだけで、すなわち間引きを前提としたバラ蒔きあるいは条蒔きができるだけ、無駄になる種子の量は多く、また間引きの労力も必要とする。特に、無駄になる種子量が多いので高価な大根、小松菜等の種蒔き器としては不適である。また、特許文献２に記載されている種蒔き器も、種子は計量カップによりマス処理されるようになっているので、前者のような欠点あるいは問題点を有する。
したがって、本発明は、必要なだけの種子を蒔くことができ、また間引き等の労力も格別に必要としない種蒔き器、特に限定するものではないが大根、小松菜等の球形の種子用として好適な種蒔き器を提供することを目的としている。
【課題を解決するための手段】
【０００６】
本発明は、上記目的を達成するために、アウターケーシングと、このアウターケーシングと所定の間隔をおいて、その内側に配置されているインナーケーシングと、これらの両ケーシングの間に回転可能に設けられている回転キャリヤとから構成される。そして、インナーケーシングの所定箇所には、種子通過孔が設けられ、回転キャリヤには少なくとも１個の種子ポケットが、そしてアウターケーシングには種子排出孔が設けられる。さらに具体的には、請求項１に記載の発明は、上記目的を達成するために、筒状の周壁を有するアウターケーシングと、同様に筒状の周壁を有するインナーケーシングと、これらのケーシングの筒状の周壁の間で回転駆動される筒状の周壁を有する回転キャリヤとからなり、前記インナーケーシングの筒状の周壁には内部の種子が通過する種子通過孔が、前記回転キャリヤの筒状の周壁には種子を一時的に保持する種子ポケットが、そして前記アウターケーシングの筒状の周壁には種子を外部へ排出する種子排出孔がそれぞれ設けられ、前記回転キャリヤが回転駆動されて、その種子ポケットが前記インナーケーシングの種子通過孔と整合すると、前記種子通過孔から前記種子ポケットに種子が落下・保持され、さらに回転駆動されて前記種子ポケットが前記アウターケーシングの種子排出孔と整合すると、前記種子ポケット中の種子が、前記種子排出孔から所定長さのシュートパイプを介して播種されるように構成される。請求項２に記載の発明は、請求項１に記載の種蒔き器において、アウターケーシングには回転キャリヤに保持されている種子を目視できるように透明な覗き窓が形成され、請求項３に記載の発明は、請求項１に記載の種蒔き器において、アウターケーシングは回転キャリヤに保持されている種子を目視できるように透明な樹脂から成形され、請求項４に記載の発明は、請求項１〜３のいずれかの項に記載の種蒔き器において、インナーケーシングと回転キャリヤのいずれかの一方には、相手方の方へバネ付勢されたスライドピンが設けられ、他方には前記スライドピンがスライド的に係合する凹溝が設けられて、前記スライドピンが前記凹溝に係合することにより、前記回転キャリヤが位置決めされ、そして請求項５に記載の発明は、請求項１〜４のいずれかの項に記載の種蒔き器において、インナーケーシングの種子通過孔の内側は内部の種子が集まりやすいように、側面形状が弧状を呈するように拡径され、回転キャリヤの種子ポケットの外側は保持されている種子が落下しやすいようにテーパ状に拡径されている。
【発明の効果】
【０００７】
以上のように、本発明によると、筒状の周壁を有するアウターケーシングと、同様に筒状の周壁を有するインナーケーシングと、これらのケーシングの筒状の周壁の間で回転駆動される筒状の周壁を有する回転キャリヤとからなり、前記インナーケーシングの筒状の周壁には内部の種子が通過する種子通過孔が、前記回転キャリヤの筒状の周壁には種子を一時的に保持する種子ポケットが、そして前記アウターケーシングの筒状の周壁には種子を外部へ排出する種子排出孔がそれぞれ設けられ、前記回転キャリヤが回転駆動されて、その種子ポケットが前記インナーケーシングの種子通過孔と整合すると、前記種子通過孔から前記種子ポケットに種子が落下・保持され、さらに回転駆動されて前記種子ポケットが前記アウターケーシングの種子排出孔と整合すると、前記種子ポケット中の種子が、前記種子排出孔から排出されるようになっているので、すなわち１回転毎に種子ポケットに入っている例えば１個あるいは２〜３個の種子を蒔くことができるという本発明に特有の効果が得られる。また、種子ポケットに入っている種子だけを蒔くことができ、高価な種子を徒に消費するようなこともない。種子ポケットに入っている種子だけを蒔くことができるので、間引き等の労力も格別に必要としない効果も得られる。さらには、所定長さのシュートパイプを介して播種することができるので、立った状態で楽に播種作業ができる効果もある。他の発明によると、インナーケーシングの種子通過孔の内側は側面形状が弧状を呈するように拡径され、回転キャリヤの種子ポケットの外側はテーパ状に拡径されているので、上記のような効果に加えて、ケーシング内の最後の種子まで、詰まることなく播種できる効果がさらに得られる。
【発明を実施するための最良の形態】
【０００８】
以下、本発明の実施の形態を説明する。図１は、本実施の形態を示す図で、その（イ）はその側断面図、その（ロ）はその正面図であるが、これらの図に示されているように、本実施の形態に係わる種蒔き器は、略円筒状を呈するアウターケーシング１と、このアウターケーシング１よりも小径で側方が開口した略碗状を呈するインナーケーシング２０と、これらの両ケーシング１、２間に配置されている同様に略碗状を呈する回転キャリヤ３０とからなっている。
【０００９】
アウターケーシング１は、本実施の形態では二つ割り構造になっている。すなわち、図１の（イ）において左側に位置し、右側が開いた略碗状を呈する第１のアウター部２と、右側に位置し左側が開いた第２のアウター部３とからなっている。第１のアウター部２の中心部には、例えばステンレス鋼からなる軸４０に密に挿入されるボス４が成形され、半径外方の側部には種子の給排用の開口部５が明けられている。この開口部５にはキャップ６がねじ込まれるようになっている。
【００１０】
第２のアウター部３は、第１のアウター部２と対をなすもので、その中心部は大きく明けられ、この大きな開口を通ってハンドル４５の連結部４６が回転キャリヤ３０に取り付けられている。このように構成されている第１、２のアウター部２、３は、図１の（ロ）に示されているように、これらの第１、２のアウター部２、３のそれぞれに一体的に成形されているフランジ部８、８が締付けボルト９、９で締め付けられて一体化されている。一体化されることにより筒状の周壁１０が形成されている。筒状の周壁１０の一部には透明な樹脂からなる種子確認用の窓１１が設けられている。この窓１１により回転キャリヤ３０に保持されて回転あるいは移動する種子を確認できる。また、アウターケーシング１の筒状の周壁１０の適所には種子排出用の種子排出透孔１２が明けられている。この透孔１２に関連して、詳しくは後述するシュートパイプ５０が取り付けられる。
【００１１】
インナーケーシング２０も筒状の周壁２１を有する。この筒状の周壁２１はアウターケーシング１の筒状の周壁１０よりも所定量だけ小さい。このように所定量だけ小さいので、アウターケーシング１の筒状の周壁１０とインナーケーシング２０の筒状の周壁２１との間に、後述する回転キャリヤ３０の筒状の周壁３１が回転可能に収まる。このような大きさのインナーケーシング２０の中心部には、ボス２２が成形されている。このボス２２の径は、アウターケーシング１のボス４に密に挿入できる大きさになっている。したがって、アウターケーシング１とインナーケーシング２０が、図１の（ロ）に示されているように組み立てられると、これらのケーシング１、２０は互いに拘束され一体化される。なお、前述したフランジ８、８を締め付けることによっても一体化される。インナーケーシング２０の適所、例えば使用中に下方に位置する部分に種子通過孔２３が形成されている。この種子通過孔２３は、球形の種子例えば大根の種子が１個あるいは数個入る大きさで、その周囲は、図２の（イ）に拡大して示されているように、内部に収納されている種子が集まりやすいように側面形状が弧状を呈するように、上側は拡径されている。また、インナーケーシング２０の一部には、バネ２４により回転キャリヤ３０の側部側に向け付勢されたスライドピン２５が取り付けられている。このスライドピン２５は、回転キャリヤ３０に形成されているリング状の凹溝３５と共働する。
【００１２】
回転キャリヤ３０は、インナーケーシング２０から受け取った種子を所定距離、あるいは所定角度だけ運んでアウターケーシング１から排出するもので、筒状の周壁３１と、円盤状の側壁３２と、中心部のボス３３とからなっている。回転キャリヤ３０の筒状の周壁３１と、アウターおよびインナーケーシングの筒状の周壁１０、２１との間隔あるいは隙間は、所定の大きさに選定されている。したがって、回転キャリヤ３０は固定的なアウターおよびインナーケーシングの筒状の周壁１０、２１の間にあって、種子を噛み込むことなく、比較的小さな力で回転駆動することができる。中心部のボス３３は軸４０に緩く挿入され、固定的な軸４０に対して回転可能である。このように構成されている回転キャリヤ３０に１〜２個の種子が入る透孔状の種子ポケット３４が形成されているている。この種子ポケット３４は、図２の（イ）に示されているように、外側に向かってテーパ状に大きくなっている。これにより、種子ポケット３４中の種子は詰まることなく、半径外方へ排出されることになる。
【００１３】
回転キャリヤ３０を回転駆動するために、ハンドル４５が設けられている。ハンドル４５は、図示の実施形態では略Ｌ字形を呈し、その作用中心部が、図１には正確には示されていないが回転キャリヤ３０の中心部に連結部４６により着脱自在に取り付けられている。また、回転キャリヤ３０の側部にはリング状の凹溝３５が形成され、この凹溝３５に前述したスライドピン２５の頭部が係合している。これにより、回転キャリヤ３０は回転駆動されるときに案内される。
【００１４】
シュートパイプ５０は、例えばポリプロピレンから構成され、アウターケーシング１の排出筒１３にネジあるいは摩擦力により装着されるようになっている。シュートパイプ５０の下端部は、図２の（ロ）に示されている実施の形態では斜めに切り落とされている。これにより、田畑に穴を開けて種子を蒔くことができる。あるいは、先端部にアダプタ５１を取り付けることもできる。このアダプタ５１には、図２の（ハ）にも示されているように、先端部が尖った開閉蓋５２を弾性材５３により、例えば開閉蓋５２を構成している樹脂により取り付けられてる。このように開閉蓋５２を設けておくと、シュートパイプ５０を田畑に差し込むとき、土がシュートパイプ５２中へ入り込むことが防止できる。抜くと、図２の（ニ）に示されているように、開く。このように構成されているシュートパイプ５０の長さは、立ったままで播種作業ができる高さ、例えば７５ｃｍ程度に選定されている。
【００１５】
次に、上記実施の形態の組み立て法について説明する。アウターケーシング１の第１のアウター部２のボス４を、図１の（イ）に示されている方向にして、軸４０に装着する。次いで、インナーケーシング２０のボス２２を第１のアウター部２のボス４に挿入する。そして、回転キャリヤ３０を装着する。すなわち、ボス３３を軸４０に挿入する。これにより、回転キャリヤ３０の筒状の周壁３１は、アウターおよびインナーケーシングの筒状の周壁１０、２１の間に入る。このように組み立てられた第１のアウター部２に、第２のアウター部３を締付けボルト９、９により締め付け一体化する。ハンドル４５を取り付ける。これにより、組み立てを終わる。
【００１６】
種蒔きに使用するときは、シュートパイプ５０をアウターケーシング１の排出筒１３に取り付ける。キャップ６を外して必要な種子をアウターケーシング１内に入れる。シュートパイプ５０の下端部を畑に所定深さに挿入する。そして、ハンドル４５を回して回転キャリヤ３０を回転駆動する。回転キャリヤ３０が回転駆動されて、その種子ポケット３４が、静止状態のインナーケーシング２０の種子通過孔２３と整合すると、種子通過孔２３に入っている１〜２個の種子が回転キャリヤ３０の種子ポケット３４に落ち込む。さらに回転駆動すると、種子を保持した種子ポケット３４がアウターケーシング１の種子排出透孔１２とやがて整合する。そうすると、この種子排出透孔１２からシュートパイプ５０を通って畑中へ放出される。これにより、播種される。このようにして、種を蒔くとき、シュートパイプ５０に開閉蓋５２が取り付けられているときは、開閉蓋５２を畑に差し込み、種穴を作る。次いで、所定量だけ引き上げる。そうすると、開閉蓋５２は図２の（ニ）に示されているように開く。種穴に前述したようにして種を蒔く。所定間隔だけ移動させて、所定間隔に種を蒔く。
【００１７】
本発明は、上記実施の形態に限定されることなく色々変形可能である。例えば、アウターケーシング１全体を透明な樹脂により成形することもできる。そうすると、窓１１を格別に設けなくても回転キャリヤ３０に保持されている種子を確認できる。また、アウターケーシング１、インナーケーシング２０、回転キャリヤ３０等が、図示の形状に限定されないことは明らかである。例えば、軸４０を省略しアウターケーシング１のボス４を中心軸に兼用することもできる。すなわち、インナーケーシング２０のボス２２をアウターケーシング１のボス４に嵌め込み、回転キャリヤ３０のボス３３をインナーケーシング２０のボス２２内に挿入するように実施することもできる。さらには、上記実施の形態では、回転キャリヤ３０に１個の種子ポケット３４が設けられているので、回転キャリヤ３０が１回転する毎に１回だけ播種されるが、複数個例えば２個設けることにより２回宛播種できることは明らかである。さらには、スライドピンを回転キャリヤ３０の方に、リング状の凹溝３５をインナーケーシング２０の方に設けても同様に実施できることも明らかである。
【００１８】
また、組み立て順序も変更可能である。例えば、ハンドル４５を第２のアウター部３を通して回転キャリヤ３０に取り付け、次いでインナーケーシング２０を回転キャリヤ３０内に挿入し、最後に第２のアウター部３に第１のアウター部２をビス止めして組み立てることもできる。
【図面の簡単な説明】
【００１９】
【図１】本発明の実施の形態を示す図で、その（イ）はその側断面図、その（ロ）はその正面図である。
【図２】本発明の実施の形態の詳細を示す図で、その（イ）は種子通過孔および種子ポケットの詳細断面図、その（ロ）〜（ニ）はシュートパイプのそれぞれ異なる実施の形態を示す正面図である。
【符号の説明】
【００２０】
１      アウターケーシング      １０      筒状の周壁
１１      窓                      １２      種子排出孔
２０      インナーケーシング      ２１      筒状の周壁
２３      種子通過孔              ２４      バネ
２５      スライドピン            ３０      回転キャリヤ
３１      筒状の周壁              ３４      種子ポケット
５０      シュートパイプ  
【図１】
2007082410.tif 000003
【図２】
2007082410.tif 000004